(57)【要約】      （修正有）【課題】かつらなど形を崩すことが適切でない物品を、使用しない時に型崩れを起こさないように保持し保管できるかつら保持器具を提供する。【解決手段】切り込みを有する複数の平板な紙またはプラスティックなどの硬度のある軽量な部材により構成し、前記の部材を、それら部材の外側の線が人頭形、球状、半球状および円筒状などの形状になるようにして構成する。さらに、それらの部材にある縦状の切り込みに相互に部材を入れることにより、部材同士を結合可能とし、かつらを保持するためにかつら保持器具を開いた状態においては、それらの部材の外側の線が人頭形、球状、半球状および円筒状などの形状になるようにし、かつら保持器具を使用しない時には前記の部材を一方向より押し込むことにより、部材全体が重なり合わさることで折り畳まれることを可能にして、携帯型かつら保持器を形成する。【選択図】図１
0003166626.tif 000002
【実用新案登録請求の範囲】
【請求項１】
本考案は、かつらなど形を崩すことが適切でない物品を、使用しない時に型崩れを起こさないように保持し保管するための器具を、紙あるいはプラスティックなどの軽くて硬度のあり軽量な部材により、型紙を組合わせた形で構成し、人頭形、球状、半球状および円筒状など開いた状態での水平の断面が円形状になる構造を採用し、器具を使用しない時には型紙を一方向より押し込むことにより、器具全体が容易に折り畳まれることを可能にして、必要とする容積を最小化し持ち運びを容易にすることを特徴とする携帯型かつら保持器。
【考案の詳細な説明】
【技術分野】
【０００１】本考案は、かつらなど形を崩すことが適切でない物品を、使用しない時に保持し保管するための器具に関するものである。
【背景技術】
【０００２】従来の開いたり折り畳んだりすることの可能な紙細工の技術を、かつらなど形を崩すことが適切でない物品を保持する器具に応用し、紙あるいはプラスティックなどの硬度があり軽量な部材を使用することにより軽量化し、且つ折り畳みを可能として、器具の携行を容易にする技術に関するものである。
【先行技術文献】
【特許文献】
【０００３】
【特許文献１】  登録番号：登録実用新案第３１５２５６０号  登録日：２００９年７月１５日  実用新案権者：株式会社葵パール  考案者：松平  洋史子  考案の名称：携帯型かつら保持器
【考案の概要】
【考案が解決しようとする課題】
【０００４】かつらなどを使用しない時に、その形を崩すことなく保持し、可能な限り容積を少なくして軽量化し、携行を容易にする器具を提供すること。
【課題を解決するための手段】
【０００５】上記課題を解決するため、本考案の請求項１に記載の携帯型かつら保持器は、紙あるいはプラスティックなどの軽量の部材を使用し、且つかつらを保持する形状として、型紙を組合わせた形で構成し、人頭形、球状、半球状および円筒状など開いた状態での水平の断面が円形状になる構造を採用し、器具を使用しない時には型紙を一方向より押し込むことにより、器具全体が容易に折り畳まれることを可能にして、必要とする容積を最小化し持ち運びを容易にした。
【考案の効果】
【０００６】本考案による携帯型かつら保持器を携行することにより、かつらなど形を崩すことが適切でない物品を、旅行時の睡眠の際などの使用しない時にその形を保持しつつ保管することが容易に可能となり、型崩れなどが発生せず、使用する際の整形に時間を要することを減少させ、かつらなど形を崩すことが適切でない物品の耐用使用期間の減少を防ぐことが可能となり、経済性を増加せしめた。
【図面の簡単な説明】
【０００７】
【図１】図１は、本考案による携帯型かつら保持器の主要な一部の型紙の正面図である。
【実施例】
【０００８】本考案の携帯型かつら保持器を、図面に示す具体的な実施例にもとづいて説明する。【０００９】図１に示す本考案による携帯型かつら保持器は、部材（１）に比較的硬い紙あるいはプラスティックなどを使用する。携帯型かつら保持器を使用する際には、保持器を指で押すことによって開き、使用しない場合にも同様に指で押すことによって閉じる。閉じた携帯型かつら保持器は適切な容量の容器に収納することによって、容易に携行することが可能となる。
【符号の説明】
【００１０】１  比較的硬い紙あるいはプラスティックなどによる携帯型かつら保持器を形成する部材
【図１】
0003166626.tif 000003
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
かつらなど形を崩すことが適切でない物品を、使用しない時に型崩れを起こさないように保持し保管するための器具を、紙またはプラスティックなどの軽くて硬度のある軽量な部材により、型紙を組合わせた形で構成し、図１に示す部材（１）が人頭形、球状、半球状および円筒状などに、水平方向での最大の面積を有するように開いた状態で、部材（１）によって構成される器具の水平の断面が円形状になる構造を採用し、器具を使用しない時には型紙を一方向より押し込むことにより、器具全体が重なり合わさることで折り畳まれることを可能にしたことを特徴とする携帯型かつら保持器。
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
かつらなど形を崩すことが適切でない物品を、使用しない時に型崩れを起こさないように保持し保管するための器具において、紙またはプラスティックなどの硬度のある軽量な部材により、人頭形、球状、半球状および円筒状などの形状にて、型紙を組み合わせた形で構成し、その形を水平方向で最大の面積を有するように開いた状態で、構成される器具の水平の断面が円形状になる構造を採用し、器具を使用しない時には型紙を一方向より押し込むことにより、器具全体が重なり合わさることで折り畳まれることを可能にした構造を特徴とする携帯型かつら保持器。
【手続補正書】
【提出日】平成22年7月23日(2010.7.23)
【手続補正１】
【補正対象書類名】実用新案登録請求の範囲
【補正対象項目名】全文
【補正方法】変更
【補正の内容】
【実用新案登録請求の範囲】
【請求項１】
かつらなど形を崩すことが適切でない物品を、使用しない時に型崩れを起こさないように保持し保管するためのかつら保持器具において、かつら保持器具を切り込みを有する複数の平板な紙またはプラスティックなどの硬度のある軽量な部材により構成する。前記の部材の形状はそれらを立てて縦と横にして、切り込みを利用して組立て、かつらを保持するためにかつら保持器具を開いた状態においては、部材の外側の線が人頭形、球状、半球状および円筒状などの形状になるようにする。かつら保持器具を使用しない時には前記の部材を一方向より押し込むことにより、部材全体が重なり合わさることで折り畳まれることを可能にした構造を特徴とする携帯型かつら保持器。
【手続補正書】
【提出日】平成22年11月19日(2010.11.19)
【手続補正１】
【補正対象書類名】実用新案登録請求の範囲
【補正対象項目名】全文
【補正方法】変更
【補正の内容】
【実用新案登録請求の範囲】
【請求項１】
かつらなど形を崩すことが適切でない物品を、使用しない時に型崩れを起こさないように保持し保管するためのかつら保持器具において、かつら保持器具を切り込みを有する複数の平板な紙またはプラスティックなどの硬度のある軽量な部材により構成し、前記の部材を、それら部材の外側の線が人頭形、球状、半球状および円筒状などの形状になるようにして構成し、それらの部材にある縦状の切り込みに相互に部材を入れることにより、部材同士を結合可能とし、かつらを保持するためにかつら保持器具を開いた状態においては、それらの部材の外側の線が人頭形、球状、半球状および円筒状などの形状になるようにし、かつら保持器具を使用しない時には前記の部材を一方向より押し込むことにより、部材全体が重なり合わさることで折り畳まれることを可能にした構造を特徴とする携帯型かつら保持器。